(57)【要約】      （修正有）【課題】二次元コードパターンの利便性を損なうことなく、必要な情報を必要な人に適切に提供する。【解決手段】二次元コードパターンを有する物品１は、携帯電話端末によりデコード可能な二次元コードパターン３と、携帯電話端末によりデコードできない二次元コードパターン４とを有する。具体的には、物品１は、エンコード時のパラメータにおけるモデル番号が２である第一のＱＲコードパターン３と、エンコード時のパラメータにおけるモデル番号が１，３および４の中のいずれか１つである第二のＱＲコードパターン４とを有する。【選択図】図１
2006178597.tif 000002
【特許請求の範囲】
【請求項１】
携帯電話端末によりデコード可能な二次元コードパターンと、
上記携帯電話端末によりデコードできない二次元コードパターンと、
を有することを特徴とする物品。
【請求項２】
エンコード時のパラメータにおけるモデル番号が２である第一のＱＲコードパターンと、
エンコード時のパラメータにおけるモデル番号が１、３および４の中のいずれか１つである第二のＱＲコードパターンとを表面に有することを特徴とする物品。
【請求項３】
前記第一のＱＲコードパターンは、当該物品を使用する一般消費者向けの告知情報をエンコードしたものであり、
前記第二のＱＲコードパターンは、当該物品のベンダまたは流通業者の管理情報をエンコードしたものであること、
を特徴とする請求項２記載の物品。
【請求項４】
前記第一のＱＲコードパターンは、当該物品を使用する一般消費者向けの告知情報として、当該物品の価格、当該物品の仕様、ＵＲＬ、電子メールアドレスおよび電話番号の中の少なくとも１つをエンコードしたものであり、
前記第二のＱＲコードパターンは、当該物品のベンダまたは流通業者の管理情報として、当該物品のロット番号、仕入れ番号および流通業者の属性の中の少なくとも１つをエンコードしたものであること、
を特徴とする請求項２記載の物品。
【請求項５】
前記第一のＱＲコードパターンにエンコードされる第一の情報および前記第二のＱＲコードパターンにエンコードされる第二の情報は、一方だけでは有意な情報とならず、両方を合成すると有意な情報となることを特徴とする請求項２記載の物品。
【発明の詳細な説明】
【技術分野】
【０００１】
本発明は、二次元コードパターンを有する物品に関する。
【背景技術】
【０００２】
特許文献１には、管理対象物品に二次元コード情報を表示した識別ラベルを付与し、識別ラベルに表示されている二次元コード情報を携帯電話などの携帯通信手段のデジタルカメラで読み取り、読み取った情報をデータ伝送手段によりデータ解析センタに送信し、データ解析センタのコンピュータにて受信した情報を一次処理および二次元コード解析を行い、データ解析センタ７から解析情報を携帯通信手段に自動的に返信して、携帯通信手段のディスプレイに表示することにより、物品の情報管理を実施する発明が開示されている。
【０００３】
【特許文献１】特開２００４−１３２８５号公報（要約書、発明の詳細な説明など）
【発明の開示】
【発明が解決しようとする課題】
【０００４】
近年、カメラとＱＲ（Ｑｕｉｃｋ  Ｒｅｓｐｏｎｓｅ）コード（登録商標）デコーダとを搭載した携帯電話端末が普及しているため、特許文献１に開示されるように、物品に、所定の情報をコード化した二次元コード情報の識別ラベルを付与することで、携帯電話端末のユーザに情報を提供することができる。このように、携帯電話端末により読み取り可能な二次元コードパターンを物品に付与することで、色々な情報を提供することができる。
【０００５】
しかしながら、物品にこのような二次元コードパターンを付与した場合、その二次元コードパターンにコード化した情報は、携帯電話端末を使用する人であれば、読み取ることができるため、ベンダや流通業者が使用する管理情報もユーザが見ることができてしまい、セキュリティなどの問題が生ずる可能性がある。
【０００６】
本発明は、上述する課題を解決するためになされたものであり、二次元コードパターンの利便性を損なうことなく、必要な情報を必要な人に適切に提供することができるようにした二次元コードパターンを有する物品を提供することを目的とする。
【課題を解決するための手段】
【０００７】
本発明に係る二次元コードパターンを有する物品は、携帯電話端末によりデコード可能な二次元コードパターンと、携帯電話端末によりデコードできない二次元コードパターンと、有するものである。
【０００８】
この構成を採用すれば、携帯電話端末によりデコードして表示が可能な二次元コードパターンに、携帯電話端末を使用するユーザに見せたい情報あるいは見られても構わない情報をコード化し、携帯電話端末によりデコードして表示することができない二次元コードパターンに、それ以外の見られたくない情報をコード化することができる。したがって、携帯電話端末のユーザと、それ以外の者とを区別し、それぞれに必要な情報を適切に提供することができる。
【０００９】
本発明に係る他の二次元コードパターンを有する物品は、エンコード時のパラメータにおけるモデル番号が２である第一のＱＲコードパターンと、エンコード時のパラメータにおけるモデル番号が１、３および４の中のいずれか１つである第二のＱＲコードパターンとを表面に有するものである。
【００１０】
この構成を採用すれば、第一のＱＲコードパターンは、携帯電話端末によりデコードされるが、第二のＱＲコードパターンは、携帯電話端末によりデコードされない。しかし、第二のＱＲコードパターンは、市販されているようなＱＲコードリーダ（ＱＲコード読取専用機）によりデコードされる。したがって、そのＱＲコードリーダを使用する人にのみ、当該二次元コードパターンにコード化した情報を提供することができる。
【００１１】
本発明に係る他の二次元コードパターンを有する物品は、上述した各発明の構成に加えて、第一のＱＲコードパターンが、当該物品を使用する一般消費者向けの告知情報をエンコードしたものであり、第二のＱＲコードパターンが、当該物品のベンダまたは流通業者の管理情報をエンコードしたものであるものである。
【００１２】
この構成を採用すれば、ＱＲコードの利便性を損なわずに、ベンダや流通業者の管理情報をユーザから隠蔽することができる。
【００１３】
本発明に係る他の二次元コードパターンを有する物品は、上述した各発明の構成に加えて、第一のＱＲコードパターンが、当該物品を使用する一般消費者向けの告知情報として、当該物品の価格、当該物品の仕様、ＵＲＬ、電子メールアドレスおよび電話番号の中の少なくとも１つをエンコードしたものであり、第二のＱＲコードパターンが、当該物品のベンダまたは流通業者の管理情報として、当該物品のロット番号、仕入れ番号および流通業者の属性の中の少なくとも１つをエンコードしたものである。
【００１４】
この構成を採用すれば、携帯電話端末のユーザに対して、当該物品を使用する一般消費者向けの告知情報を提供することができる。ベンダまたは流通業者に対して、その者のみに、当該物品のベンダまたは流通業者の管理情報を提供することができる。
【００１５】
本発明に係る他の二次元コードパターンを有する物品は、上述した各発明の構成に加えて、第一のＱＲコードパターンにエンコードされる第一の情報および第二のＱＲコードパターンにエンコードされる第二の情報は、一方だけでは有意な情報とならず、両方を合成すると有意な情報となるものである。
【００１６】
この構成を採用すれば、各ＱＲコードパターンが携帯電話端末などにより、別々にデコードされたとしても、その所定の有意な情報がデコードされてしまうことはない。したがって、第一のＱＲコードパターンと第二のＱＲコードパターンとを順番に読み取ってデコードすることができるデコード端末を使用する人にのみ、当該有意な情報を提供することができる。
【発明の効果】
【００１７】
本発明は、二次元コードパターンの利便性を損なうことなく、必要な情報を必要な人に適切に提供することができる。
【発明を実施するための最良の形態】
【００１８】
以下、本発明の実施の形態に係る物品を、図面に基づいて説明する。
【００１９】
以下、本発明の実施の形態に係る二次元コードパターンを有する物品を、図面に基づいて説明する。以下の各実施の形態では、二次元コードがＱＲコードである場合を例として説明する。なお、ＱＲコードは登録商標である。
【００２０】
実施の形態１．
実施の形態１に係る物品は、ダンボール箱である。実施の形態１では、このダンボール箱上に形成されたＱＲコードによる二次元コードパターンが、携帯電話端末およびＱＲコードリーダ端末でデコードされて表示される。
【００２１】
図１は、実施の形態１に係るＱＲコードを有する物品を示す斜視図である。ＱＲコードを有する物品は、他の物品を収容するダンボール箱１である。ダンボール箱１は、長方体形状を有する。ダンボール箱１の１つの側面には、シールラベル２が貼着されている。
【００２２】
図２は、図１中のシールラベル２を示す正面図である。シールラベル２には、第一ＱＲコードパターン３と、第二ＱＲコードパターン４との２つのＱＲコードパターンが横並びに印刷されている。シールラベル２の裏面には、図示外の接着層が形成される。この接着層により、シールラベル２は、ダンボール箱１の１つの側面に貼着される。
【００２３】
第一ＱＲコードパターン３および第二ＱＲコードパターン４は、データをＱＲコードによりコード化することで得られるパターンである。ＱＲコードは、ＩＳＯ（Ｉｎｔｅｒｎａｔｉｏｎａｌ  Ｏｒｇａｎｉｚａｔｉｏｎ  Ｆｏｒ  Ｓｔａｎｄａｒｄｉｚａｔｉｏｎ）／ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）１８００４として規格化されている。
【００２４】
図３は、図２のシールラベル２を生成するシールラベル印刷装置を示す装置構成図である。シールラベル印刷装置は、中央処理装置（ＣＰＵ）１１と、メモリ１２と、記憶デバイス１３と、入出力ポート１４と、これらを接続するシステムバス１５と、を有する。入出力ポート１４には、キーボード１６と、ポインティングデバイスの一種である所謂マウス１７と、液晶モニタ１８と、プリンタ１９と、が接続される。
【００２５】
記憶デバイス１３は、エンコードプログラム２０を記憶する。中央処理装置１１は、このエンコードプログラム２０を記憶デバイス１３から読み込んで実行する。これにより、図４に示すように、シールラベル印刷装置には、操作検出部２１と、エンコーダ２２と、印刷処理部２３とが実現される。図４は、図３のシールラベル印刷装置に実現される機能を示すブロック図である。
【００２６】
なお、エンコードプログラム２０は、たとえばＣＤ（コンパクト・ディスク）−ＲＯＭ（リード・オンリー・メモリ）、ＤＶＤ（デジタル・バーサタイル・ディスク）−ＲＯＭなどのコンピュータ読み取り可能な記録媒体や、インターネットなどの伝送媒体を介して、記憶デバイス１３に保存されればよい。
【００２７】
操作検出部２１は、所定の表示画面を液晶モニタ１８に表示させる。操作検出部２１は、キーボード１６およびマウス１７から入力される文字情報に基づいて、データを生成する。操作検出部２１は、キーボード１６およびマウス１７から入力される入力指示に基づいて、エンコーダ２２および印刷処理部２３に指示を出力する。
【００２８】
エンコーダ２２は、操作検出部２１により生成されたデータをエンコードし、ＱＲコードを生成する。エンコーダ２２は、２つのＱＲコードを順番に生成する。
【００２９】
印刷処理部２３は、エンコーダ２２により生成された２つのＱＲコードを２つのＱＲコードパターンとして並べて印刷する印刷制御コードを生成する。印刷処理部２３は、生成した印刷制御コードをプリンタ１９へ出力する。
【００３０】
図５は、図２のシールラベル２のＱＲコードパターンを読み取る携帯電話端末の構成を示す装置構成図である。ＱＲコードパターンを読み取る携帯電話端末としては、たとえばＮＴＴドコモの５０５ｉＳシリーズ、５０６ｉ／ｉＣシリーズの携帯電話端末がある。このような携帯電話端末は、図示外の通信回路とともに、中央処理装置３１と、メモリ３２と、記憶デバイス３３と、入出力ポート３４と、これらを接続するシステムバス３５とを有する。入出力ポート３４には、入力キー３６と、液晶デバイス３７と、ＣＣＤ（Ｃｈａｒｇｅ  Ｃｏｕｐｌｅｄ  Ｄｅｖｉｃｅ）カメラ３８とが接続される。
【００３１】
記憶デバイス３３は、携帯用デコードプログラム３９を記憶する。中央処理装置３１は、この携帯用デコードプログラム３９を記憶デバイス３３から読み込んで実行する。これにより、図６に示すように、携帯電話端末には、操作検出部４１と、読取部４２と、携帯用デコーダ４３と、表示部４４と、が実現される。図６は、図５の携帯電話端末に実現される機能を示すブロック図である。
【００３２】
なお、携帯用デコードプログラム３９は、たとえばＣＤ（コンパクト・ディスク）−ＲＯＭ（リード・オンリー・メモリ）、ＤＶＤ（デジタル・バーサタイル・ディスク）−ＲＯＭなどのコンピュータ読み取り可能な記録媒体や、インターネット、携帯電話通信網などの伝送媒体を介して、記憶デバイス３３に保存されればよい。
【００３３】
操作検出部４１は、所定の表示画面を液晶モニタ１８に表示させる。また、操作検出部４１は、入力キー３６から入力される指示に基づいて、読取部４２に読取指示を出力する。読取部４２は、ＣＣＤカメラ３８が撮像した画像を、液晶デバイス３７に表示させる。読取部４２は、ＣＣＤカメラ３８が撮像した画像から、ＱＲコードパターンを抽出する。携帯用デコーダ４３は、読取部４２により抽出されたＱＲコードパターンによるＱＲコードをデコードし、このＱＲコードにコード化されていたデータを復号する。表示部４４は、携帯用デコーダ４３によりデコードされたデータを表示する表示画面データを生成し、液晶デバイス３７に表示させる。携帯用デコーダ４３は、携帯電話端末という、ＱＲコードの読取機能の他に種々な機能を有する機器に実装されるため、メモリやプロセッサなどの性能上の制約から、必要最小限のデコード能力だけを有し、モデル番号２のＱＲコードのみをデコード可能に設計されている。
【００３４】
図７は、図２のシールラベル２のＱＲコードパターンを読み取るＱＲコードリーダ端末の構成を示す装置構成図である。ＱＲコードリーダ端末は、中央処理装置５１と、メモリ５２と、記憶デバイス５３と、入出力ポート５４と、これらを接続するシステムバス５５とを有する。入出力ポート５４には、入力キー５６と、液晶デバイス５７と、ＣＣＤカメラ５８とが接続される。
【００３５】
記憶デバイス５３は、リーダ端末用デコードプログラム５９を記憶する。中央処理装置５１は、このリーダ端末用デコードプログラム５９を記憶デバイス５３から読み込んで実行する。これにより、図８に示すように、ＱＲコードリーダ端末には、操作検出部６１と、読取部６２と、リーダ端末用デコーダ６３と、表示部６４と、が実現される。図８は、図７のＱＲコードリーダ端末に実現される機能を示すブロック図である。
【００３６】
なお、リーダ端末用デコードプログラム５９は、たとえばＣＤ（コンパクト・ディスク）−ＲＯＭ（リード・オンリー・メモリ）、ＤＶＤ（デジタル・バーサタイル・ディスク）−ＲＯＭなどのコンピュータ読み取り可能な記録媒体や、インターネット、携帯電話通信網などの伝送媒体を介して、記憶デバイス５３に保存されればよい。
【００３７】
操作検出部６１は、所定の表示画面を液晶モニタ１８に表示させる。また、操作検出部６１は、入力キー５６から入力される指示に基づいて、読取部６２に読取指示を出力する。読取部６２は、ＣＣＤカメラ５８が撮像した画像を、液晶デバイス５７に表示させる。読取部６２は、ＣＣＤカメラ５８が撮像した画像から、ＱＲコードパターンを抽出する。リーダ端末用デコーダ６３は、読取部６２により抽出されたＱＲコードパターンによるＱＲコードをデコードし、このＱＲコードにコード化されていたデータを復号する。表示部６４は、リーダ端末用デコーダ６３によりデコードされたデータを表示する表示画面データを生成し、液晶デバイス５７に表示させる。リーダ端末用デコーダ６３は、ＱＲコードリーダ端末という、他の機能を有しない専用機に実装されるため、すべてのモデル番号のＱＲコードをデコード可能である。
【００３８】
次に、以上のように２つのＱＲコードを有するダンボール箱１の製造方法および使用方法を説明する。
【００３９】
まず、シールラベル印刷装置の動作について説明する。図９は、図４のシールラベル印刷装置によるシールラベル生成処理を示すフローチャートである。
【００４０】
シールラベル印刷装置の操作検出部２１は、最初に、１つ目のＱＲコードパターンを生成するために、図示外の所定の情報入力画面を液晶モニタ１８に表示させる。操作検出部２１は、その画面が表示されている状態において、キーボード１６などからユーザ操作に基づいて文字が指定されると、その指定されたキャラクタコードをメモリ１２に保存する（ステップＳＴ１）。この１つ目のＱＲコードパターンを生成するための情報としては、たとえば、物品の提供元などの住所、インターネット上のアドレス（メールアドレス、ＵＲＬなど）、電話番号などがある。また、文字の代わりに画像などが指定されてもよい。
【００４１】
操作検出部２１は、図示外の所定のパラメータ設定画面を液晶モニタ１８に表示させる。操作検出部２１は、その画面が表示されている状態において、キーボード１６あるいはマウス１７からユーザ操作に基づいて値が指定されると、その入力された値を指定されているパラメータの値としてメモリ１２に保存する（ステップＳＴ２）。
【００４２】
なお、読取可能なＱＲコードを生成する場合、たとえば、以下に示すパラメータを指定することができる。すなわち、たとえば、オブジェクト名、バージョン情報、ＡｕｔｏＲｅｄｒａｗ、ＢａｃｋＣｏｌｏｒ、ＢａｒＣｈｒＧａｐ、ＢａｒＨｅｉｇｈｔ、Ｂｅｎｄ、Ｂｓｔａｒｔ、ＣａｕｓｅｓＶａｌｉｄａｔｉｏｎ、ＣｅｌｌＡｄｊｕｓｔ、ＣｅｌｌＰｉｔｃｈ、ＣｅｌｌＵｎｉｔ、ＣｈｋＤｉｇｉｔ、ＣｈｒＤｉｓｐｌａｙ（キャラクタディスプレイ：文字表示／非表示の指定）、ＣｏｄｅＴｙｐｅ（コードタイプ：二次元コードの種類の指定）、Ｄｉｖｉｄｅ１、Ｄｉｖｉｄｅ２、ＤｍｘＭｏｄｅｌ、ＤｒａｇＩｃｏｎ、ＤｒａｇＭｏｄｅ、ＥｃｃＬｅｖｅｌ（ＥＣＣレベル：誤り訂正レベルの指定）、Ｆｏｎｔ（フォント：指定する文字種類の指定）、ＦｏｒｅＢＣｏｌｏｒ、ＦｏｒｅＷＣｏｌｏｒ、ＧａｐＡｄｊｕｓｔ、Ｈｅｉｇｈｔ、ＨｅｌｐＣｏｎｔｅｘｔＩＤ、ＩｍａｇｅＤａｔａ、ＩｍａｇｅＨｅｉｇｈｔ、ＩｍａｇｅＷｉｄｔｈ、Ｉｎｄｅｘ、ＩｎｐｕｔＤａｔａ、Ｌｅｆｔ、ＭａｋｅＳｔａｔｕｓ、ＭａｘｉＣｏｄｅＭｏｄｅ、Ｍｉｒｒｏｒ、ＭｏｄｅｌＮｏ（モデル番号：１〜４の中の数値を指定する。携帯電話端末用の場合２が指定される。）、ＮｕｍＣｅｌｌ、ＮｕｍＲｏｗ、ＮｗＲａｔｉｏ、ＯｐｔＣＯＤＥ１２８、ＯｐｔＥＡＮＵＰＣ、ＯｐｔＩＴＦ、ＯｐｔＰＬＥＳＳＥＹ、ＯｐｔＳＴＦ、ＰＤＦ４１７Ｃｏｌｕｍ、ＰＤＦ４１７Ｅｃｃ、ＰＤＦ４１７ＨＷｒａｔｉｏ、ＰＤＦ４１７Ｍｏｄｅｌ、ＰＤＦ４１７Ｒｏｗ、ＰＤＦ４１７ＸＹｒａｔｉｏ、Ｐｉｃｔｕｒｅ、ＱＲｖｅｒｓｉｏｎ、ＱｕｉｅｔＺｏｎｅ、Ｒｏｔａｔｅ、ＴａｂＩｎｄｅｘ、ＴａｂＳｔｏｐ、Ｔａｇ、ＴｅｘｔＯｒＢｉｎａｒｙ、ＴｈｒｏｗＥｒｒｏｒ、ＴｏｏｌＴｉｐＴｅｘｔ、Ｔｏｐ、Ｖｉｓｉｂｌｅ（ビジブル：可視化できるデータであるか否かの指定）、ＷｈａｔｓＴｈｉｓＨｅｌｐＩＤ、Ｗｉｄｔｈなどのパラメータを指定することができる。
【００４３】
メモリ１２にキャラクタコードからなるデータおよびパラメータの値を記憶させた後、ユーザ操作に基づいてキーボード１６あるいはマウス１７からエンコード指示がなされると、操作検出部２１は、モデル番号として携帯電話端末用の値である２を指定し、エンコーダ２２にエンコード指示を出力する。
【００４４】
エンコーダ２２は、指定されたパラメータ条件に基づいて、メモリ１２に記憶されているデータをエンコードする。エンコーダ２２は、このデータをコード化し、ＱＲコードを生成する。エンコーダ２２は、モデル番号を２としてコード化されたＱＲコードを生成する（ステップＳＴ３）。メモリ１２は、この生成されたＱＲコードを記憶する。
【００４５】
１つ目のＱＲコードを生成した後、操作検出部２１は、エンコーダ２２にエンコード指示を出力するとともに、２つ目のＱＲコードを生成するために、図示外の所定の情報入力画面を液晶モニタ１８に表示させる。操作検出部２１は、キーボードなどで指定されたキャラクタコードをメモリ１２に記憶させる（ステップＳＴ４）。この２つ目の情報としては、たとえば、物品の管理番号、ロット番号、メーカ管理情報、仕入れ情報、流通業者の属性などがある。その後、操作検出部２１は、図示外の所定のパラメータ設定画面を液晶モニタ１８に表示させ、キーボード１６などから入力されるパラメータの値をメモリ１２に記憶させる（ステップＳＴ５）。
【００４６】
メモリ１２にキャラクタコードおよび所定のパラメータが記憶された後、キーボード１６あるいはマウス１７からユーザ操作に基づいて２回目のエンコード指示がなされると、操作検出部２１は、モデル番号として携帯電話端末用の値以外の値（１，３および４のいずれか１つ）を指定し、エンコーダ２２にエンコード指示を出力する。
【００４７】
エンコーダ２２は、指定されたパラメータ条件に基づいて、メモリ１２に記憶されているキャラクタコードからなるデータをエンコードする。エンコーダ２２は、このデータをコード化し、ＱＲコードを生成する（ステップＳＴ６）。エンコーダ２２は、モデル番号をたとえば３としてコード化されたＱＲコードを生成する。メモリ１２は、この生成されたＱＲコードを記憶する。
【００４８】
以上の処理により、メモリ２１には、モデル番号を２としてコード化されたＱＲコードと、モデル番号を３としてコード化されたＱＲコードとが記憶される。
【００４９】
メモリ１２に２つのＱＲコードが記憶されると、エンコーダ２２あるいは操作検出部２１からの指示に基づいて、印刷処理部２３は、印刷処理を開始する（ステップＳＴ７）。印刷処理部２３は、メモリ１２に記憶されている２つのＱＲコードに基づく２つのＱＲコードパターンを並べて印刷する印刷制御コードを生成する。印刷処理部２３は、生成した印刷制御コードをプリンタ１９へ出力する。プリンタ１９は、印刷制御コードに基づいて、シールラベル２に２つのＱＲコードパターンを並べて印刷する。
【００５０】
これにより、図２に示すシールラベル２が生成される。図２において、左側となる第一ＱＲコードパターン３は、モデル番号を２としてコード化されたＱＲコードパターンである。右側の第二ＱＲコードパターン４は、モデル番号を３としてコード化されたＱＲコードパターンである。
【００５１】
２つのＱＲコードパターン３，４が印刷されたシールラベル２は、図１に示すようにダンボール箱１の側面に貼着される。これにより、２つのＱＲコードパターン３，４を有するダンボール箱１が生成される。
【００５２】
この２つのＱＲコードパターン３，４を有するダンボール箱１は、運送業者などにより、それに収容される他の物品とともに運搬され、当該他の物品の購入者あるいは使用者のもとに届けられる。
【００５３】
次に、携帯電話端末の動作について説明する。
【００５４】
携帯電話端末の操作検出部４１は、所定の表示画面を液晶デバイス３７に表示させ、その状態で入力キー３６から入力される指示に基づいて、読取部４２に読取指示を出力する。読取部４２は、読取処理を開始し、ＣＣＤカメラ３８が撮像した画像を、液晶デバイス３７に表示させる。また、読取部４２は、ＣＣＤカメラ３８が撮像した画像中に、ＱＲコードパターンが含まれている場合、そのＱＲコードパターンの画像からＱＲコードを抽出する。
【００５５】
読取部４２によりＱＲコードパターンが抽出されると、携帯用デコーダ４３は、そのＱＲコードをモデル番号が２であるものとして、そのＱＲコードに含まれるデータのデコードを試みる。携帯用デコーダ４３は、ＱＲコードを、所定の誤り訂正方式（たとえばリードソロモン誤り訂正方式）によって訂正しつつデコードを試みる。これにより、携帯電話端末では、ＣＣＤカメラ３８により撮像されたＱＲコードパターンのモデル番号が２である場合のみ、ＱＲコードがデコードされる。携帯用デコーダ４３は、読取データの誤りを訂正できないときには、データの復号を中止する。したがって、携帯電話端末では、モデル番号が２以外の１，３，４のいずれかである場合には、ＱＲコードはデコードされない。なお、携帯用デコーダ４３がデータの復号を中止した場合、再度、読取部４２によるＱＲコードパターンの読取処理を実行させるようにしてもよい。
【００５６】
携帯用デコーダ４３によりデコードされたデータは、メモリ３２に記憶される。このデータには、シールラベル印刷装置などにおいて入力されたキャラクタコードが含まれる。携帯用デコーダ４３は、データのデコードが完了すると、表示部４４に、メモリ３２に記憶されているデータに含まれるキャラクタコードの表示を指示する。携帯用デコーダ４３は、デコード中止などによりデータのデコードを完了することができない場合には、その表示部４４への表示指示をすることなく処理を終了する。
【００５７】
携帯用デコーダ４３により表示処理が指示されると、表示部４４は、メモリ３２に記憶されているキャラクタコードによる文字列を表示するための表示画面データを生成し、液晶デバイス３７に出力する。液晶デバイス３７は、その表示画面を表示する。これにより、液晶デバイス３７には、シールラベル印刷装置などにおいてモデル番号２のＱＲコードとしてコード化された文字列が表示される。
【００５８】
したがって、当該物品の購入者あるいは使用者などが携帯電話端末を使用して、モデル番号２によりコード化されたダンボール箱１の左側の第一ＱＲコードパターン３を読み取った場合、その携帯電話端末の読取部４２によりそのＱＲコードが抽出され、携帯用デコーダ４３によりそのＱＲコードがデコードされ、表示部４４にそれにコード化されていたデータが文字列として表示される。その結果、携帯電話端末の液晶デバイス３７には、ダンボール箱１の左側の第一ＱＲコードパターン３にコード化された情報が表示される。
【００５９】
一方、当該物品の購入者あるいは使用者などが携帯電話端末を使用して、モデル番号３によりコード化されたダンボール箱１の右側の第二ＱＲコードパターン４を読み取った場合、携帯電話端末の液晶デバイス３７には、ダンボール箱１の右側の第二ＱＲコードパターン４にコード化されたデータに含まれる文字列が表示されない。
【００６０】
次に、ＱＲコードリーダ端末の動作について説明する。図１０は、図８のＱＲコードリーダ端末によるＱＲコードパターンの読取処理を示すフローチャートである。
【００６１】
ＱＲコードリーダ端末の操作検出部６１は、所定の表示画面を液晶デバイス５７に表示させ、その状態で入力キーから入力される指示に基づいて、読取部６２に読取指示を出力する。読取部６２は、読取処理を開始し、ＣＣＤカメラ５８が撮像した画像を、液晶デバイス５７に表示させる。また、読取部６２は、ＣＣＤカメラ５８が撮像した画像から、ＱＲコードパターンを抽出する（ステップＳＴ１１）。
【００６２】
読取部６２によりＱＲコードが抽出されると、リーダ端末用デコーダ６３は、そのＱＲコードに含まれるデータをデコードする（ステップＳＴ１２）。リーダ端末用デコーダ６３は、すべてのモデル番号に対応しているため、モデル番号が１〜４のいずれのＱＲコードでもデコード可能である。リーダ端末用デコーダ６３は、ＱＲコードのパターンに基づくデータを、所定の誤り訂正方式（たとえばリードソロモン誤り訂正方式）によってその読取データの誤りを訂正しながらデコードする。リーダ端末用デコーダ６３は、読取データの誤りを訂正できないときには、データの復号を中止する。なお、リーダ端末用デコーダ６３がデータの復号を中止した場合、再度、読取部６２によるＱＲコードパターンの読取処理を実行させるようにしてもよい。
【００６３】
リーダ端末用デコーダ６３によりデコードされたデータは、メモリ５２に記憶される。このデータには、シールラベル印刷装置などにおいて入力されたキャラクタコードが含まれる。リーダ端末用デコーダ６３は、データのデコードが完了すると、表示部６４に、メモリ５２に記憶されているデータに含まれるキャラクタコードの表示を指示する。リーダ端末用デコーダ６３は、デコード中止などによりデータのデコードを完了することができない場合には、その表示部６４への表示指示をすることなく処理を終了する。
【００６４】
リーダ端末用デコーダ６３から表示処理が指示されると、表示部６４は、メモリ５２に記憶されているキャラクタコードによる文字列を表示するための表示画面データを生成し、液晶デバイス５７に出力する。液晶デバイス５７は、その表示画面を表示する（ステップＳＴ１３）。これにより、液晶デバイス３７には、シールラベル印刷装置などにおいて任意のモデル番号のＱＲコードとしてコード化された文字列が表示される。
【００６５】
したがって、当該物品の搬送業者などがＱＲコードリーダ端末を使用して、モデル番号２によりコード化されたダンボール箱１の左側の第一ＱＲコードパターン３を読み取った場合、このＱＲコードリーダ端末の読取部６２によりそのＱＲコードが抽出され（ステップＳＴ１１）、リーダ端末用デコーダ６３によりそのＱＲコードがデコードされ（ステップＳＴ１２）、表示部６４にそれにコード化されていたデータが文字列として表示される（ステップＳＴ１３）。その結果、ＱＲコードリーダ端末の液晶デバイス５７には、ダンボール箱１の左側の第一ＱＲコードパターン３にコード化された情報が表示される。
【００６６】
一方、当該物品の搬送業者などがＱＲコードリーダ端末を使用して、モデル番号３によりコード化されたダンボール箱１の右側の第二ＱＲコードパターン４を読み取った場合、このＱＲコードリーダ端末の読取部６２によりそのＱＲコードが抽出され（ステップＳＴ１１）、リーダ端末用デコーダ６３によりそのＱＲコードがデコードされ（ステップＳＴ１２）、表示部６４にそれにコード化されていたデータが文字列として表示される（ステップＳＴ１３）。その結果、ＱＲコードリーダ端末の液晶デバイス５７には、ダンボール箱１の右側の第二ＱＲコードパターン４にコード化された情報が表示される。
【００６７】
以上のように、この実施の形態１によれば、シールラベル印刷装置を用いて、携帯電話端末によりデコード可能なモデル番号２に対応する第一ＱＲコードパターン３と、携帯電話端末によりデコードできないモデル番号３に対応する第二ＱＲコードパターン４とがダンボール箱１に付される。また、第一ＱＲコードパターン３に、物品の提供元などの住所、インターネット上のアドレス、電話番号などの情報をコード化し、第二ＱＲコードパターン４に、物品の管理番号、ロット番号、メーカ管理情報、仕入れ情報などの情報をコード化することができる。
【００６８】
携帯電話端末は、モデル番号２に対応する第一ＱＲコードパターン３にコード化されたデータをデコードし、そのデータを表示する。また、携帯電話端末は、モデル番号３に対応する第二ＱＲコードパターン４にコード化されたデータを表示できない。
【００６９】
ＱＲコードリーダ端末は、モデル番号２に対応する第一ＱＲコードパターン３にコード化されたデータをデコードし、そのデータを表示する。また、ＱＲコードリーダ端末は、モデル番号３に対応する第二ＱＲコードパターン４にコード化されたデータをデコードし、そのデータを表示する。
【００７０】
その結果、携帯電話端末を所有する購入者などに対しては、モデル番号２に対応する第一ＱＲコードパターン３にコード化した当該物品の提供元などの住所、インターネット上のアドレス、電話番号などの情報を提供することができる。また、ＱＲコードリーダ端末を有する搬送業者などに対しては、その情報に加えて、その者にのみ、モデル番号３に対応する第二ＱＲコードパターン４により、当該物品の管理番号、ロット番号、メーカ管理情報、仕入れ情報などの、購入者などの一般人に知られたくない情報を併せて提供することができる。つまり、この実施の形態１によれば、携帯電話端末のユーザと、それ以外の者とを区別し、それぞれに必要な情報を適切に提供することができる。
【００７１】
実施の形態２．
実施の形態２に係る物品は、ダンボール箱である。実施の形態２は、このダンボール箱に形成されたＱＲコードによるパターンを、携帯電話端末およびＱＲコードリーダ端末でデコードして表示するものである。
【００７２】
図１１は、実施の形態２に係るシールラベル印刷装置に実現される機能を示すブロック図である。実施の形態２に係るシールラベル印刷装置では、中央処理装置１１が記憶デバイス１３に記憶されているエンコードプログラム２０を読み込んで実行することで、操作検出部２１と、エンコーダ７１と、印刷処理部２３とが実現される。
【００７３】
エンコーダ７１は、操作検出部２１により生成されたデータをエンコードする。エンコーダ７１は、操作検出部２１が出力するデータを２つに分けて、２つのＱＲコードを順番に生成する。
【００７４】
実施の形態２において、上述した構成要素以外の構成要素は、携帯電話端末およびＱＲコードリーダ端末の構成を含めて実施の形態１の同名の構成要素と同じ機能を有するものであり、実施の形態１と同一の名称および符号を使用して、図示および説明を省略する。
【００７５】
次に、以上の構成を有するＱＲコードを有するダンボール箱１の製造方法および使用方法を説明する。
【００７６】
まず、シールラベル印刷装置の動作について説明する。図１２は、図１１のシールラベル印刷装置によるシールラベル生成処理を示すフローチャートである。
【００７７】
シールラベル印刷装置の操作検出部２１は、キーボード１６などから指定されたキャラクタコードをメモリ１２に保存し（ステップＳＴ２１）、指定されたパラメータの値をメモリ１２に保存する（ステップＳＴ２２）。
【００７８】
操作検出部２１は、メモリ１２に保存したデータの中から、携帯電話端末のユーザに公開してもよい情報のデータを抽出する（ステップＳＴ２３）。具体的にはたとえば、メモリ１２に、ホームページのＵＲＬとそのパスワードとが含まれている場合、操作検出部２１は、ホームページのＵＲＬを抽出する。なお、操作検出部２１は、各文字列の特徴となる構造（たとえばｗｗｗ．などの構造）や各文字列の属性情報（たとえばパスワードを意味する属性情報など）に基づいて、公開してもよい情報としてユーザが予め指定した文字列のみを抽出するようにすればよい。
【００７９】
メモリ１２に保存したデータの中から所定のデータを抽出したら、操作検出部２１は、モデル番号２およびメモリ１２に記憶されるパラメータを指定し、エンコーダ７１に、抽出したデータのエンコード処理を指示する。エンコーダ７１は、メモリ１２に記憶されているデータをエンコードし、モデル番号を２としてコード化されたＱＲコードを生成する（ステップＳＴ２４）。
【００８０】
抽出したデータのモデル番号２によるコード化を指示した後、操作検出部２１は、モデル番号３およびメモリ１２に記憶されるパラメータを指定し、エンコーダ７１に、メモリ１２から抽出しなかったデータのエンコード処理を指示する。たとえば、メモリ１２にホームページのＵＲＬとそのログインパスワードとが記憶されている場合においてＵＲＬのみが抽出された場合、そのログインパスワードが、メモリ１２から抽出しなかったデータとなる。エンコーダ７１は、メモリ１２に記憶されている残りのデータをエンコードし、モデル番号を３としてコード化されたＱＲコードを生成する（ステップＳＴ２５）。
【００８１】
以上の処理により、メモリ２１には、モデル番号を２としてコード化されたＱＲコードと、モデル番号を３としてコード化されたＱＲコードとが記憶される。
【００８２】
メモリ１２に２つのＱＲコードが記憶されると、エンコーダ７１あるいは操作検出部２１からの指示に基づいて、印刷処理部２３は、印刷処理を開始する（ステップＳＴ２６）。印刷処理部２３は、メモリ１２に記憶されている２つのＱＲコードを並べて印刷する印刷制御コードを生成する。印刷処理部２３は、生成した印刷制御コードをプリンタ１９へ出力する。プリンタ１９は、印刷制御コードに基づいて、シールラベル２に２つのＱＲコードのパターンを並べて印刷する。
【００８３】
これにより、シールラベル２には、その左側となる第一ＱＲコードパターン３として、モデル番号を２としてコード化されたＱＲコードのパターンが印刷され、その右側となる
第二ＱＲコードパターン４として、モデル番号を３としてコード化されたＱＲコードのパターンが印刷される。このシールラベル２をダンボール箱１の側面に貼着することで、２つのＱＲコードパターン３，４を有するダンボール箱１が生成される。
【００８４】
携帯電話端末は、モデル番号２によりコード化されたダンボール箱１の左側の第一ＱＲコードパターン３を読み取り、そのＱＲコードにコード化された情報を表示する。携帯電話端末は、モデル番号３によりコード化されたダンボール箱１の右側の第二ＱＲコードパターン４を読み取って、それにコード化された情報を表示できない。
【００８５】
ＱＲコードリーダ端末は、モデル番号２によりコード化されたダンボール箱１の左側の第一ＱＲコードパターン３を読み取り、そのＱＲコードにコード化された情報を表示する。ＱＲコードリーダ端末は、モデル番号３によりコード化されたダンボール箱１の右側の第二ＱＲコードパターン４を読み取り、そのＱＲコードにコード化された情報を表示する。
【００８６】
したがって、たとえば当該物品の購入者あるいは使用者などが携帯電話端末を使用したとしても、その者は、当該物品の販売者などが予め公開してもよいと判断した情報のみ（たとえばホームページのＵＲＬのみ）を得ることができる。また、たとえば当該他の物品の搬送業者などがＱＲコードリーダ端末を使用すると、その者は、当該物品の販売者などがコード化させた情報（ホームページのＵＲＬおよびその管理者用ログインパスワード）を得ることができる。
【００８７】
以上のように、この実施の形態２によれば、ＱＲコードリーダ端末のユーザと、それ以外の携帯電話端末などの利用者とを区別し、それぞれに必要な情報を適切に提供することができる。ＱＲコードリーダ端末のユーザのみに、たとえばホームページのＵＲＬおよびそのホームページへのログインパスワードなどのように、有意な情報を提供することができる。
【００８８】
以上の各実施の形態は、本発明の好適な実施の形態の例であるが、本発明はこれに限定されるものではなく、発明の要旨を逸脱しない範囲において各種の変形、変更が可能である。
【００８９】
たとえば、上記各実施の形態では、ＱＲコードパターンの際に指定するパラメータの一種であるモデル番号の値を、携帯電話端末で指定されている２以外の値（たとえば１，３，４のうちの１つ）とすることで、図２の右側の二次元コードパターン４が携帯電話端末にてデコードできないようにしている。
【００９０】
この他にもたとえば、ＱＲコードパターンの生成時に指定するその他のパラメータの値を、携帯電話端末で表示できなくなる値とするようにし、それにより携帯電話端末に情報が表示されないようににしてもよい。このような目的に使用することができるその他のパラメータとしては、たとえば、コードタイプ、ビジブル、キャラクタディスプレイなどがある。コードタイプの値をＱＲコードに対応する値以外の値にわざと指定したり、ビジブルあるいはキャラクタディスプレイにおいて非表示をわざと指定したりすることで、携帯電話端末においてデコードして情報を表示することができないようにすることができる。この場合、ＱＲコードリーダ端末は、そのわざと指定されたパラメータにかかわらずに、表示できるように改変すればよい。
【００９１】
上記各実施の形態では、携帯電話端末によりデコード可能な第一ＱＲコードパターン３と、携帯電話端末によりデコード不可能な第二ＱＲコードパターン４とが１つずつ設けられている。この他にもたとえば、携帯電話端末によりデコード可能なＱＲコードパターンおよび／または携帯電話端末によりデコード不可能なＱＲコードパターンは、複数個ずつ設けられていてもよい。また、携帯電話端末によりデコード可能なＱＲコードパターンの個数と、携帯電話端末によりデコード不可能なＱＲコードパターンの個数とは、異なっていてもよい。
【００９２】
上記各実施の形態では、携帯電話端末によりデコード可能な第一ＱＲコードパターン３と、携帯電話端末によりデコード不可能な第二ＱＲコードパターン４とは、１つのシールラベル２に印刷され、ダンボール箱１に貼着されている。この他にもたとえば、おかし、チケット、車検証などのユーザに直接利用される物品そのものに、これら複数のＱＲコードパターンを印刷したり、これら複数のＱＲコードパターンを印刷したシールラベルを貼着したりしてもよい。ユーザに直接利用される物品を入れる封筒などに、これら複数のＱＲコードパターンを印刷したり、これら複数のＱＲコードパターンを印刷したシールラベルを貼着したりしてもよい。あるいは、シールラベル以外にも、荷札などに対して、これら複数のＱＲコードパターンを印刷するようにしてもよい。
【００９３】
上記各実施の形態では、２つのＱＲコードパターン３，４は、ダンボール箱１に付されているが、書籍、各種チケット、家電製品などの他の物品に付してもよい。また、上記各実施の形態では、シールラベル２を用いて２つのＱＲコードパターン３，４を物品に対して付しているが、物品の表面に直接、２つのＱＲコードパターン３，４を印刷するようにしてもよい。
【図面の簡単な説明】
【００９４】
【図１】図１は、実施の形態１に係るＱＲコードを有する物品を示す斜視図である。
【図２】図２は、図１中のシールラベル２を示す正面図である。
【図３】図３は、図２のシールラベル２を生成するシールラベル印刷装置を示す装置構成図である。
【図４】図４は、図３のシールラベル印刷装置に実現される機能を示すブロック図である。
【図５】図５は、図２のシールラベル２のＱＲコードパターンを読み取る携帯電話端末の構成を示す装置構成図である。
【図６】図６は、図５の携帯電話端末に実現される機能を示すブロック図である。
【図７】図７は、図２のシールラベル２のＱＲコードパターンを読み取るＱＲコードリーダ端末の構成を示す装置構成図である。
【図８】図８は、図７のＱＲコードリーダ端末に実現される機能を示すブロック図である。
【図９】図９は、図４のシールラベル印刷装置によるシールラベル生成処理を示すフローチャートである。
【図１０】図１０は、図８のＱＲコードリーダ端末によるＱＲコードパターンの読取処理を示すフローチャートである。
【図１１】図１１は、実施の形態２に係るシールラベル印刷装置に実現される機能を示すブロック図である。
【図１２】図１２は、図１１のシールラベル印刷装置によるシールラベル生成処理を示すフローチャートである。
【符号の説明】
【００９５】
１  ダンボール箱（物品）
３  第一ＱＲコードパターン（携帯電話端末によりデコード可能な二次元コードパターン）
４  第二ＱＲコードパターン（携帯電話端末によりデコードできない二次元コードパターン）
【図１】
2006178597.tif 000003
【図２】
2006178597.tif 000004
【図３】
2006178597.tif 000005
【図４】
2006178597.tif 000006
【図５】
2006178597.tif 000007
【図６】
2006178597.tif 000008
【図７】
2006178597.tif 000009
【図８】
2006178597.tif 000010
【図９】
2006178597.tif 000011
【図１０】
2006178597.tif 000012
【図１１】
2006178597.tif 000013
【図１２】
2006178597.tif 000014